(57)【要約】【課題】  従来の飛翔昆虫の誘引捕虫装置では、漏れた光による誘引によるものと、発生した二酸化炭素による誘引によるものであり、それぞれの装置では、あまり効果は発生しないという問題がある。【解決手段】  前面を開放したケースと、該ケースの開放部に向けて装着した紫外線ランプと、該紫外線ランプの背後に装着した粘着捕虫シートと、前記紫外線ランプの下部に装着された底部に超音波振動子を装着した容器と、該容器に入れられた炭酸ガス発生ビーズとからなり、紫外線ランプから前記ケースの開放部に向けて紫外線が発生され、前記炭酸ガス発生ビーズに定期的に前記超音波振動子から超音波が照射され、前記紫外線ランプからの紫外線及び周囲の光で二酸化炭素を発生して、飛翔する昆虫を誘引し、前記粘着捕虫シートで捕獲する【選択図】        図１
2008306953.tif 000002
【特許請求の範囲】
【請求項１】
前面を開放したケースと、該ケースの開放部に向けて装着した紫外線ランプと、該紫外線ランプの背後に装着した粘着捕虫シートと、前記紫外線ランプの下部に装着された底部に超音波振動子を装着した容器と、該容器に入れられた炭酸ガス発生ビーズとからなり、紫外線ランプから前記ケースの開放部に向けて紫外線が発生され、前記炭酸ガス発生ビーズに定期的に前記超音波振動子から超音波が照射され、前記紫外線ランプからの紫外線及び周囲の光で二酸化炭素を発生して、飛翔する昆虫を誘引し、前記粘着捕虫シートで捕獲するようにしたことを特徴とする超音波照射型捕虫装置。
【請求項２】
前記粘着捕虫シートを粘着物質を塗布した透明なフィルムにで構成し、前記筐体の開放部に装着したことを特徴とする請求項１記載の超音波照射型捕虫装置。
【請求項３】
前記炭酸ガス発生ビーズは光触媒と有機化合物を混合したものであることを特徴とする請求項１記載の超音波照射型捕虫装置。
【発明の詳細な説明】
【技術分野】
【０００１】
本発明は、飛翔する昆虫を光及び二酸化炭素を発生して呼び寄せ、粘着式捕虫紙で捕獲するようにした超音波照射型捕虫装置に関するものである。
【背景技術】
【０００２】
従来、飛翔昆虫を誘引する蛍光灯をケース内に装着し、ケースの開放面に粘着シートを装着した捕虫器や容器の底部に二酸化炭素を発生する物質を入れ、容器の開放口の周囲に粘着剤層を設けた蚊の誘引捕獲装置が提案されている。
【０００３】
しかしながら、このよう構成された従来の飛翔する昆虫の誘引捕虫装置において、蛍光灯を使用した光による昆虫の誘引では、ケースの前面に粘着シートを装着しているために、光は粘着シートの上下から漏れるだけであるので、あまり効果はなく、又、二酸化炭素による昆虫の誘引では、たまたま誘引捕虫装置の近傍に飛んできた昆虫のみが二酸化炭素に引かれて容器の中に入るだけで、飛翔する昆虫を効率よく誘引することはできないという問題がある。
【特許文献１】特開２００５−２４５３１２
【特許文献１】特開２００６−６７９６６
【発明の開示】
【発明が解決しようとする課題】
【０００４】
従来の飛翔昆虫の誘引捕虫装置では、漏れた光による誘引によるものと、発生した二酸化炭素による誘引によるものであり、それぞれの装置では、あまり効果は発生しないという問題がある。
【課題を解決するための手段】
【０００５】
本発明は、ケースは前面が開放され、紫外線ランプはケースの開放部に向けて装着され、粘着捕虫シートは紫外線ランプの背後に装着され、底部に超音波振動子を装着した容器は紫外線ランプの下部に装着され、炭酸ガス発生ビーズは容器に入れられ、炭酸ガス発生ビーズに超音波振動子から定期的に超音波が照射され炭酸ガスを発生し、紫外線ランプからの紫外線及び周囲の光で二酸化炭素を発生して、飛翔する昆虫を誘引し、前記粘着捕虫シートで捕獲するようにしたものである。
【発明の効果】
【０００６】
本発明は、紫外線ランプを粘着捕虫シートの前に装着するか、透明な粘着捕虫シートを紫外線ランプの前面に装着することにより、紫外線ランプからの光をケースの前面より強力に照射して飛翔する昆虫を強力に誘引するとともに、炭酸ガス発生ビーズに紫外線ランプからの光を照射し、さらに、超音波振動子から超音波を定期的に照射することにより、大量の二酸化炭素を発生して、遠くに飛んでいる飛翔する昆虫を有効に誘引して捕獲することができるという利点がある。
【発明を実施するための最良の形態】
【０００７】
本発明は、紫外線ランプを粘着捕虫シートの前面に装着するか、粘着捕虫シートを透明にすることにより、ケースの開放口より強力な光を放射し、又、炭酸ガス発生ビーズに超音波を照射し、又、紫外線ランプからの光及び周囲の光が照射されることにより、炭酸ガスを大量に発生して、ケースから離れて飛翔する昆虫も誘引して捕獲することができた。
【実施例】
【０００８】
図１は本発明の実施例の超音波照射型捕虫装置の断面図で、ケース１の開放口１ａに向けて紫外線ランプ２が装着され、紫外線ランプ２の内側のケース１の背部１ｂの近傍に粘着捕虫シート３が支持部材４ａ、４ｂによって支持され、紫外線ランプ２の下部に、二酸化炭素発生ビーズ５を入れた容器６が装着され、容器６の底部に超音波振動子７が装着され、超音波振動子７に発振器８から発振出力が印可されるように構成されている。
【０００９】
このように構成した本実施例の超音波照射型捕虫装置装置では、紫外線ランプ２に商用電源から電力が供給されると、紫外線ランプ２が発光して紫外線がケース１の開放口１ａから照射されることにより、紫外線ランプ２の前面に遮蔽する物が無いので、紫外線は遠くまで到達し、ケース１から離れた所で飛翔する昆虫をおびき寄せることができ、又、超音波振動子７に発振器８から発振出力が印可されると、超音波振動子７から超音波が発生して、二酸化炭素発生ビーズ５から二酸化炭素が発生することにより、ケース１の開放口１ａから二酸化炭素が放出されて、紫外線ランプ２からの紫外線で誘導された飛翔昆虫はケース１の開放口１ａから内部に入り込み、粘着捕虫シート３で捕獲される。
【００１０】
本実施例では、このように紫外線ランプ２からの紫外線で遠くの飛翔昆虫を誘引し、二酸化炭素発生ビーズ５からの二酸化炭素により近くの飛翔昆虫をケース１内に誘引することにより、ケース１の付近を飛翔する昆虫を粘着捕虫シート３で確実に捕獲することができるという利点がある。
【００１１】
図２は本発明の他の実施例の超音波照射型捕虫装置の断面図で、１はケース、２は紫外線ランプ、３は粘着捕虫シート、４ａ、４ｂは支持部材、５は二酸化炭素発生ビーズ、６は容器、７は超音波振動子、８は発振器で、これらの構成は上記実施例と同じであるので、説明は省略するが、本実施例では、粘着捕虫シート３は透明シートに粘着剤を塗布したもので、透明に構成されているため、紫外線ランプ２の前面に装着する。
【００１２】
このように構成した本実施例の超音波照射型捕虫装置では、紫外線ランプ２からの紫外線が粘着捕虫シート３を通して放射されるようにし、又、二酸化炭素発生ビーズ５からの二酸化炭素は、粘着捕虫シート３の側部から前面に放出されるので、紫外線ランプ２からの紫外線で誘引した飛翔昆虫を粘着捕虫シート３で捕獲するとともに、二酸化炭素発生ビーズから発生した二酸化炭素で飛翔昆虫を誘引し、粘着捕虫シート３で捕獲することができる。
【産業上の利用可能性】
【００１３】
なお、上記実施例では、粘着捕虫シート３はケース１に固着するようにしているが、簡単に取り外し可能に構成してもよい。
【図面の簡単な説明】
【００１４】
【図１】本発明の実施例の超音波照射型捕虫装置の断面図である。
【図２】本発明の他の実施例の超音波照射型捕虫装置の断面図である。
【符号の説明】
【００１５】
１            ケース
２            紫外線ランプ
３            粘着捕虫シート
４ａ、４ｂ    支持部材
５            二酸化炭素発生ビーズ
６            容器
７            超音波振動子
８            発振器
【図１】
2008306953.tif 000003
【図２】
2008306953.tif 000004